(57)【要約】      （修正有）【課題】移動時には移動させやすく、設置時には安定させることができる移動式水洗便器を提供する。【解決手段】設置位置を移動可能とされた移動式水洗便器１００であって、便器本体１１０と、水を供給する給水手段と、給水手段から供給された水が第１のタンク（溜水手段）に溜められた設置状態と、設置状態における水の量よりも少ない量の水が溜められた移動状態と、を切り替え可能な第１のタンク（溜水手段）１４０と、を備える。【選択図】図１
2016204973.tif 000002
【特許請求の範囲】
【請求項１】
設置位置を移動可能とされた移動式水洗便器であって、
便器本体と、
水を供給する給水手段と、
前記給水手段から供給された水が溜められた設置状態と、前記設置状態における水の量よりも少ない量の水が溜められた移動状態と、を切り替え可能な溜水手段と、
を備えたことを特徴とする移動式水洗便器。
【請求項２】
前記設置状態では、前記便器本体および前記便器本体よりも下流側に溜まっている水の量よりも多い量の水が前記給水手段から前記溜水手段に供給されることを特徴とする請求項１記載の移動式水洗便器。
【請求項３】
前記便器本体は、汚物を受ける汚物受面を有し、
前記溜水手段は、前記汚物受面よりも下側に設けられたことを特徴とする請求項１または２に記載の移動式水洗便器。
【請求項４】
前記溜水手段または前記溜水手段よりも下流に設けられ、前記溜水手段に溜められた水を前記溜水手段の外部へ排出するポンプをさらに備えたことを特徴とする請求項１〜３のいずれか１つに記載の移動式水洗便器。
【請求項５】
前記ポンプの下流に設けられた逆止弁をさらに備えたことを特徴とする請求項４記載の移動式水洗便器。
【請求項６】
前記移動状態と、前記設置状態と、を切り替えるスイッチをさらに備えたことを特徴とする請求項１〜５のいずれか１つに記載の移動式水洗便器。
【請求項７】
前記便器本体の材料は、樹脂であることを特徴とする請求項１〜６のいずれか１つに記載の移動式水洗便器。
【請求項８】
前記便器本体から排出された汚物を貯留する貯留槽を有する圧送装置をさらに備え、
前記溜水手段は、前記貯留槽とは異なることを特徴とする請求項１〜７のいずれか１つに記載の移動式水洗便器。
【発明の詳細な説明】
【技術分野】
【０００１】
本発明の態様は、一般的に、移動式水洗便器に関する。
【背景技術】
【０００２】
例えば、トイレまで移動可能とされたポータブル便器がある（特許文献１）。特許文献１に記載されたポータブル便器では、使用後において封水容器を駆動部にて開運動することで、封水部分の汚物および封水を便鉢の下側の汚物貯留槽内に重力を利用して排出することができる。ポータブル便器の使用の繰り返しによって、汚物貯留槽内部に一定量の汚物が溜まった場合、ポータブル便器の全体をトイレまで移動させ、汚物を処理することができる。
【０００３】
しかし、特許文献１に記載されたポータブル便器では、汚物貯留槽内部に一定量の汚物が溜まった場合に使用者がポータブル便器の全体をトイレまで移動させるため、ポータブル便器の移動の際にポータブル便器が重いという問題がある。そのため、汚物貯留槽内部に一定量の汚物が溜まった場合に、ポータブル便器を移動させることが困難であるという問題がある。
【先行技術文献】
【特許文献】
【０００４】
【特許文献１】特開２００１−２２４５２８号公報
【発明の概要】
【発明が解決しようとする課題】
【０００５】
本発明は、かかる課題の認識に基づいてなされたものであり、移動時には移動させやすく、設置時には安定させることができる移動式水洗便器を提供することを目的とする。
【課題を解決するための手段】
【０００６】
第１の発明は、設置位置を移動可能とされた移動式水洗便器であって、便器本体と、水を供給する給水手段と、前記給水手段から供給された水が溜められた設置状態と、前記設置状態における水の量よりも少ない量の水が溜められた移動状態と、を切り替え可能な溜水手段と、を備えたことを特徴とする移動式水洗便器である。
【０００７】
この移動式水洗便器によれば、移動状態における移動式水洗便器を移動させやすくすることができる。また、設置状態における移動式水洗便器を安定させることができる。
【０００８】
第２の発明は、第１の発明において、前記設置状態では、前記便器本体および前記便器本体よりも下流側に溜まっている水の量よりも多い量の水が前記給水手段から前記溜水手段に供給されることを特徴とする移動式水洗便器である。
【０００９】
この移動式水洗便器によれば、設置状態における移動式水洗便器は、移動状態における移動式水洗便器よりも重くなり、設置状態における移動式水洗便器を安定させることができる。
【００１０】
第３の発明は、第１または２の発明において、前記便器本体は、汚物を受ける汚物受面を有し、前記溜水手段は、前記汚物受面よりも下側に設けられたことを特徴とする移動式水洗便器である。
【００１１】
この移動式水洗便器によれば、使用者が座る部分を重くすることができ、設置状態における移動式水洗便器をより確実に安定させることができる。
【００１２】
第４の発明は、第１〜３のいずれか１つの発明において、前記溜水手段または前記溜水手段よりも下流に設けられ、前記溜水手段に溜められた水を前記溜水手段の外部へ排出するポンプをさらに備えたことを特徴とする移動式水洗便器である。
【００１３】
この移動式水洗便器によれば、溜水手段の内部の水をより確実に排出することができる。
【００１４】
第５の発明は、第４の発明において、前記ポンプの下流に設けられた逆止弁をさらに備えたことを特徴とする移動式水洗便器である。
【００１５】
この移動式水洗便器によれば、汚水が溜水手段の内部に入ることを抑制することができる。
【００１６】
第６の発明は、第１〜５のいずれか１つの発明において、前記移動状態と、前記設置状態と、を切り替えるスイッチをさらに備えたことを特徴とする移動式水洗便器である。
【００１７】
この移動式水洗便器によれば、移動式水洗便器の移動状態と、移動式水洗便器の設置状態と、をより簡単に切り替えることができる。
【００１８】
第７の発明は、第１〜６のいずれか１つの発明において、前記便器本体の材料は、樹脂であることを特徴とする移動式水洗便器である。
【００１９】
この移動式水洗便器によれば、便器本体がより軽量化される。これにより、移動式水洗便器を移動させやすくすることができる。
【００２０】
第８の発明は、第１〜７のいずれか１つの発明において、前記便器本体から排出された汚物を貯留する貯留槽を有する圧送装置をさらに備え、前記溜水手段は、前記貯留槽とは異なることを特徴とする移動式水洗便器である。
【００２１】
この移動式水洗便器によれば、水が溜まる重い部分を分散させることができ、設置状態における移動式水洗便器をより安定させることができる。
【発明の効果】
【００２２】
本発明の態様によれば、移動時には移動させやすく、設置時には安定させることができる移動式水洗便器が提供される。
【図面の簡単な説明】
【００２３】
【図１】本発明の実施の形態にかかる移動式水洗便器を表す模式的斜視図である。
【図２】本実施形態にかかる移動式水洗便器を表す模式的平面図である。
【図３】本実施形態にかかる移動式水洗便器の要部構成を表すブロック図である。
【図４】本実施形態にかかる移動式水洗便器の動作の具体例を例示するフローチャート図である。
【図５】本実施形態にかかる他の移動式水洗便器の要部構成を表すブロック図である。
【図６】本実施形態の圧送装置の具体例を表す模式的断面図である。
【発明を実施するための形態】
【００２４】
以下、本発明の実施の形態について図面を参照しつつ説明する。なお、各図面中、同様の構成要素には同一の符号を付して詳細な説明は適宜省略する。  
図１は、本発明の実施の形態にかかる移動式水洗便器を表す模式的斜視図である。  
図２は、本実施形態にかかる移動式水洗便器を表す模式的平面図である。  
図１（ａ）は、便器本体を覆うカバー体が取り付けられた状態を表す模式的斜視図である。図１（ｂ）は、便器本体を覆うカバー体が外された状態を表す模式的斜視図である。  図２（ａ）は、本実施形態にかかる移動式水洗便器の設置状態を表す模式的平面図である。図２（ｂ）は、本実施形態にかかる移動式水洗便器の移動状態を表す模式的平面図である。
【００２５】
本実施形態にかかる移動式水洗便器１００は、便器本体１１０と、カバー体１２０と、第１のタンク（溜水手段）１４０と、を備える。便器本体１１０は、ボウル面（汚物受面）１１１を有する。便器本体１１０の材料としては、例えば樹脂が挙げられる。便器本体１１０は、支持体１１５により支持され、ボウル面１１１を除いた多くの部分をカバー体１２０により覆われている。支持体１１５の下部には、脚部１１７および第１の車輪１１８が設けられている。
【００２６】
カバー体１２０は、第１のカバー１２１と、第２のカバー１２３と、第３のカバー１２５と、を有する。第１のカバー１２１は、便器本体１１０の上部を覆う。第２のカバー１２３は、便器本体１１０の下部を覆う。第１のカバー１２１および第２のカバー１２３には、肘掛け１３１が設けられている。第３のカバー１２５は、便器本体１１０の後方の領域を隠蔽している。図２（ａ）および図２（ｂ）に表したように、第３のカバー１２５の下部には、第２の車輪１１９が設けられている。
【００２７】
本願明細書において、「上方」とは、鉛直方向であって移動式水洗便器１００の前に立った者からみて上側の方向をいう。「下方」とは、鉛直方向であって移動式水洗便器１００の前に立った者からみて下側の方向をいう。「前方」とは、水平方向であって移動式水洗便器１００の前に立った者からみて手前側の方向をいう。「後方」とは、水平方向であって移動式水洗便器１００の前に立った者からみて奥側の方向をいう。
【００２８】
図１（ｂ）に表したように、第１のタンク１４０は、ボウル面１１１よりも下側の領域であって便器本体１１０の周りの領域に設けられている。つまり、第１のタンク１４０は、便器本体１１０の袴などと呼ばれる部分の周りの領域に設けられている。第１のタンク１４０は、ボウル面１１１よりも下側の領域であって便器本体１１０の周りの領域から取り外し可能とされていてもよい。第１のカバー１２１および第２のカバー１２３が取り付けられた状態では、第１のタンク１４０は、第１のカバー１２１および第２のカバー１２３により隠蔽される。第１のタンク１４０は、第１のタンク１４０自身の内部に水を溜めることができる。第１のタンク１４０が溜めることができる水の量は、例えば約２０リットル（Ｌ）程度である。
【００２９】
図２（ａ）に表したように、移動式水洗便器１００が設置された状態（設置状態）では、脚部１１７と、第１の車輪１１８と、第２の車輪１１９と、は、床面３０１と接触している。設置状態において、使用者は、移動式水洗便器１００を使用することができる。
【００３０】
一方で、図２（ｂ）に表したように、移動式水洗便器１００が移動する状態（移動状態）では、便器本体１１０と、第１のカバー１２１と、第２のカバー１２３と、支持体１１５と、の前部が、床面３０１から例えば使用者などにより持ち上げられている。そのため、支持体１１５の下部に設けられた脚部１１７は、床面３０１から上方へ離れている。第１の車輪１１８および第２の車輪１１９は、床面３０１と接触したままである。なお、支持体１１５の後部は持ち上げられないため、第１の車輪１１８は、支持体１１５に設けられていても床面３０１からは離れない。
【００３１】
このように、本実施形態にかかる移動式水洗便器１００は、設置位置を移動可能とされている。  
ここで、移動状態の移動式水洗便器が重いと、移動式水洗便器の移動が困難となる。そのため、移動状態の移動式水洗便器に対しては、軽いことが求められる。  
一方で、設置状態の移動式水洗便器が軽いと、例えば便器本体に座った使用者は、不安を感ずることがある。そのため、設置状態の移動式水洗便器に対しては、比較的重く、安定的であることが求められる。
【００３２】
これに対して、本実施形態にかかる移動式水洗便器１００は、第１のタンク１４０を備える。図２（ａ）に表したように、移動式水洗便器１００の設置状態では、水１４１が第１のタンク１４０の内部に溜められている。そのため、水１４１が第１のタンク１４０の内部に溜められた状態における移動式水洗便器１００は、水１４１が第１のタンク１４０の内部に溜められていない状態における移動式水洗便器１００よりも重い。言い換えれば、移動式水洗便器１００の設置状態における第１のタンク１４０の内部の水１４１の量は、移動式水洗便器１００の移動状態における第１のタンク１４０の内部の水１４１の量よりも多い。例えば、２０Ｌの水が第１のタンク１４０の内部に溜められた場合には、水１４１が第１のタンク１４０の内部に溜められていない場合と比較すると、移動式水洗便器１００は、２０キログラム（ｋｇ）だけ重くなる。これにより、設置状態における移動式水洗便器１００を安定させることができる。
【００３３】
一方で、図２（ｂ）に表したように、移動式水洗便器１００の移動状態では、水１４１は、第１のタンク１４０の外部へ排出されている。そのため、水１４１が第１のタンク１４０の外部へ排出された状態における移動式水洗便器１００は、水１４１が第１のタンク１４０の内部に溜められた状態における移動式水洗便器１００よりも軽い。言い換えれば、移動式水洗便器１００の移動状態における第１のタンク１４０の内部の水１４１の量は、移動式水洗便器１００の設置状態における第１のタンク１４０の内部の水１４１の量よりも少ない。例えば、２０Ｌの水が第１のタンク１４０の外部に排出された場合には、水１４１が第１のタンク１４０の内部に溜められた場合と比較すると、移動式水洗便器１００は、２０ｋｇだけ軽くなる。これにより、移動状態における移動式水洗便器１００を移動させやすくすることができる。
【００３４】
移動式水洗便器１００の設置状態では、便器本体１１０および便器本体１１０の下流側に溜まっている水の量よりも多い量の水が給水手段から第１のタンク１４０に供給される。例えば、便器本体１１０には、封水が溜められている。封水は、悪臭や害虫が下水管を通して移動式水洗便器１００が設置された部屋の内部に入ることを抑制する。移動式水洗便器１００の設置状態では、封水を形成する水の量よりも多い量の水が給水手段から第１のタンク１４０に供給される。これにより、設置状態における移動式水洗便器１００は、移動状態における移動式水洗便器１００よりも重くなり、設置状態における移動式水洗便器１００を安定させることができる。
【００３５】
前述したように、第１のタンク１４０は、ボウル面１１１よりも下側の領域に設けられている。そのため、水が第１のタンク１４０に供給されることで、使用者が座る部分を重くすることができる。これにより、設置状態における移動式水洗便器１００をより確実に安定させることができる。  
また、便器本体１１０の材料が樹脂である場合には、便器本体１１０は、陶器製の便器本体よりも軽量である。そのため、使用者は、移動式水洗便器１００をより楽に移動させることができる。
【００３６】
図３は、本実施形態にかかる移動式水洗便器の要部構成を表すブロック図である。  
図３に表したブロック図では、水路系の要部構成と電気系の要部構成とが併せて表示されている。
【００３７】
本実施形態にかかる移動式水洗便器１００は、電磁弁（給水手段）１５２と、三方弁（給水手段）１５３と、第２のタンク１５４と、ポンプ１４３と、第１の逆止弁１５５と、第２の逆止弁１５６と、制御部１５７と、を備える。電磁弁１５２と、三方弁１５３と、第２のタンク１５４と、第１の逆止弁１５５と、ポンプ１４３と、は、便器本体１１０の後方に設けられ、第３のカバー１２５により隠蔽されている。制御部１５７は、電磁弁１５２と、三方弁１５３と、ポンプ１４３と、の動作を制御する。
【００３８】
例えば水道や外部タンクなどの給水源１５１と、第１のタンク１４０と、の間には、第１の配管１６１が設けられている。第１の配管１６１は、給水源１５１と、第１のタンク１４０と、を接続する。ポンプ１４３と、下水管（図示せず）と、の間には、第２の配管１６３が設けられている。第２の配管１６３は、ポンプ１４３と、下水管と、を接続する。便器本体１１０と、第２の配管１６３と、の間には、第３の配管１６５が設けられている。第３の配管１６５は、便器本体１１０と、第２の配管１６３と、を接続する。図３に表したように、第３の配管１６５は、第２の配管１６３の途中に接続されている。
【００３９】
電磁弁１５２は、給水源１５１の下流に設けられている。電磁弁１５２は、第１の配管１６１の開閉状態を切り替え、水の供給を制御する。  
三方弁１５３は、電磁弁１５２の下流に設けられている。三方弁１５３は、電磁弁１５２を通って流れた水が第１のタンク１４０に供給される状態と、電磁弁１５２を通って流れた水が第２のタンク１５４に供給される状態と、を切り替える。  
このように、水１４１は、給水手段（電磁弁１５２、三方弁１５３）から第１のタンク１４０の内部に供給される。
【００４０】
第２のタンク１５４は、三方弁１５３の下流に設けられている。第２のタンク１５４は、便器本体１１０のボウル面１１１を洗浄する水（洗浄水）を第２のタンク１５４自身の内部に溜める。
【００４１】
ポンプ１４３は、第１のタンク１４０に設けられている。あるいは、ポンプ１４３は、第１のタンク１４０の下流に設けられている。ポンプ１４３は、作動することで、第１のタンク１４０の内部に溜められた水を第２の配管１６３を通して第１のタンク１４０の外部へ排出する。
【００４２】
第１の逆止弁１５５は、ポンプ１４３の下流に設けられている。第１の逆止弁１５５は、第２の配管１６３の下流から第２の配管１６３の上流へ向かって水が流れることを抑える。これにより、第１の逆止弁１５５は、例えば汚物や汚物を含む水（汚水）などが第１のタンク１４０の内部に入ることを抑えることができる。
【００４３】
第２の逆止弁１５６は、第１の逆止弁１５５の下流に設けられている。第２の逆止弁１５６は、第２の配管１６３と、第３の配管１６５と、の接続位置に設けられている。言い換えれば、第３の配管１６５は、第２の逆止弁１５６を介して第２の配管１６３と接続されている。便器本体１１０から排出された汚物および洗浄水は、第３の配管１６５および第２の配管１６３を通して下水管へ排出される。第２の逆止弁１５６は、便器本体１１０から排出され第３の配管１６５を流れた汚物および汚水が第１のタンク１４０の内部に入ることをより確実に抑制することができる。
【００４４】
また、本実施形態にかかる移動式水洗便器１００は、スイッチ１７０を備える。スイッチ１７０は、第３のカバー１２５に設けられ、スイッチ１７０の操作に基づいた信号を制御部１５７に出力する。スイッチ１７０は、移動式水洗便器１００の移動状態と、移動式水洗便器１００の設置状態と、を切り替える。具体的には、スイッチ１７０は、移動スイッチ１７１と、移動完了スイッチ１７３と、を有する。移動スイッチ１７１が操作されると、ポンプ１４３が作動し、第１のタンク１４０の内部の水１４１が第２の配管１６３を通して排出される。移動完了スイッチ１７３が操作されると、電磁弁１５２および三方弁１５３が開き、水が第１の配管１６１を通して第１のタンク１４０に供給される。
【００４５】
なお、スイッチ１７０は、必ずしも第３のカバー１２５に設けられていなくともよい。例えば、スイッチ１７０は、リモコン（図示せず）に設けられていてもよい。
【００４６】
次に、本実施形態にかかる移動式水洗便器１００の動作の具体例について、図面を参照しつつ説明する。  
図４は、本実施形態にかかる移動式水洗便器の動作の具体例を例示するフローチャート図である。
【００４７】
使用者は、移動式水洗便器１００を移動させる場合には、移動スイッチ１７１を操作する（ステップＳ１０１）。移動スイッチ１７１が操作されると、ポンプ１４３が作動する（ステップＳ１０３）。ポンプ１４３が作動すると、第１のタンク１４０の内部の水１４１が第２の配管１６３を通して排出される（ステップＳ１０５）。第１のタンク１４０の内部の水１４１の排出が完了すると、「移動ＯＫ」ランプ（図示せず）が点灯する（ステップＳ１０７）。「移動ＯＫ」ランプは、例えば第３のカバー１２５に設けられている。あるいは、「移動ＯＫ」ランプは、例えばスイッチ１７０が設けられたリモコンに設けられている。
【００４８】
第１のタンク１４０の内部の水１４１の排出が完了すると、移動式水洗便器１００は、第１のタンク１４０の内部の水１４１が排出される前と比較して軽くなる（ステップＳ１０９）。そのため、使用者は、移動式水洗便器１００を比較的楽に移動させることができる（ステップＳ１０９）。
【００４９】
移動式水洗便器１００の移動が完了すると、使用者は、移動完了スイッチ１７３を操作する（ステップＳ１１１）。移動完了スイッチ１７３が操作されると、電磁弁１５２および三方弁１５３が開き、水が第１の配管１６１を通して第１のタンク１４０に供給される（ステップＳ１１３）。所定の量の水が第１のタンク１４０に溜まると（ステップＳ１１３）、移動式水洗便器１００の移動および移動式水洗便器１００の設置が完了する（ステップＳ１１５）。「所定の量の水が第１のタンク１４０に溜まる」こととしては、例えば、第１のタンク１４０が満水になることが挙げられる。
【００５０】
本具体例によれば、使用者は、スイッチ１７０（移動スイッチ１７１、移動完了スイッチ１７３）を操作することで、移動式水洗便器１００の移動状態と、移動式水洗便器１００の設置状態と、をより簡単に切り替えることができる。
【００５１】
なお、本具体例では、移動スイッチ１７１が操作された後に、移動完了スイッチ１７３が所定時間操作されないと、アラームが作動してもよい。これによれば、水が第１のタンク１４０の内部に溜められていない状態で移動式水洗便器１００が使用されることを抑制することができる。
【００５２】
図５は、本実施形態にかかる他の移動式水洗便器の要部構成を表すブロック図である。  図６は、本実施形態の圧送装置の具体例を表す模式的断面図である。  
図５に表したブロック図では、水路系の要部構成と電気系の要部構成とが併せて表示されている。
【００５３】
図５に表した移動式水洗便器１００ａは、図３に関して前述した移動式水洗便器１００と比較して、圧送装置２００をさらに備える。圧送装置２００は、便器本体１１０の後方に設けられ、第３のカバー１２５により隠蔽されている。圧送装置２００は、第３の配管１６５の途中に設けられている。つまり、圧送装置２００は、便器本体１１０と、第２の逆止弁１５６と、の間に設けられている。
【００５４】
圧送装置２００は、便器本体１１０から排出された汚物および洗浄水を攪拌し、圧送装置２００の外部へ圧送する。  
本願明細書において、「攪拌」という範囲には、汚物および洗浄水をかき回すことだけではなく、例えば汚物などの固形物を細かく砕くこと（粉砕）が含まれるものとする。
【００５５】
図６に表したように、圧送装置２００は、ケーシング２０１と、貯留槽（溜水手段）２１０と、モータ２２１と、攪拌部２３０と、圧送部２４０と、圧送路２５１と、を有し、便器本体１１０から排出された汚物や洗浄水を攪拌して流動性を高めた汚水として圧送し排出する。貯留槽２１０と、攪拌部２３０と、圧送部２４０と、圧送路２５１と、は、ケーシング２０１の内部に設けられている。モータ２２１は、ケーシング２０１の上部に固定されている。
【００５６】
貯留槽２１０は、孔２１１を有する。貯留槽２１０の外部であってケーシング２０１の内部は、孔２１１を通して貯留槽２１０の内部と接続されている。  
モータ２２１には、軸２２３が固定されている。軸２２３は、モータ２２１において発生したトルクを受けて回転し、そのトルクを攪拌部２３０および圧送部２４０に伝達する。
【００５７】
攪拌部２３０は、パルセータ２３１と、ベース板２３３と、を有し、軸２２３に固定されている。攪拌部２３０は、軸２２３を介してモータ２２１から伝達されたトルクを受けて回転する。パルセータ２３１は、軸２２３に対して垂直方向に延びている。ベース板２３３は、パルセータ２３１の下側に設けられ、表面に設けられた突起部を有する。
【００５８】
圧送部２４０は、インペラ２４１を有し、軸２２３の下端部に固定されている。つまり、圧送部２４０は、攪拌部２３０の下側に設けられている。圧送部２４０は、貯留槽２１０の内部ではなく、貯留槽２１０の外部に設けられている。
【００５９】
図６に表した矢印Ａ１のように、便器本体１１０から流出された汚物や洗浄水は、貯留槽２１０の内部へ流れる。貯留槽２１０の内部へ流れた汚物や洗浄水のうちで孔２１１の大きさよりも小さいものは、孔２１１を通して貯留槽２１０の外部へ流れる。一方で、貯留槽２１０の内部へ流れた汚物や洗浄水のうちで孔２１１の大きさよりも大きいものは、孔２１１を通過できず貯留槽２１０の内部に貯留される。
【００６０】
パルセータ２３１がモータ２２１から伝達されたトルクを受けて回転すると、貯留槽２１０の内部に貯留されていた汚物や洗浄水がパルセータ２３１により攪拌される。また、撹拌によって生じた流れ（攪拌流）によって汚物が粉砕される。  
ベース板２３３がモータ２２１から伝達されたトルクを受けて回転すると、貯留槽２１０の内部に貯留されていた汚物や洗浄水は、攪拌され、より高い流動性を有する汚水となる。汚水は、孔２１１を通して貯留槽２１０の外部へ流れる。
【００６１】
図６に表した矢印Ａ２のように、孔２１１を通して貯留槽２１０の外部へ流れた汚物や洗浄水や汚水は、圧送部２４０の下側から圧送部２４０の内部へ吸い込まれる。圧送部２４０の内部へ吸い込まれた汚物や洗浄水や汚水は、インペラ２４１により圧送され、圧送路２５１を通って圧送装置２００の外部へ排出される。
【００６２】
本実施形態にかかる移動式水洗便器１００ａでは、移動スイッチ１７１が操作されると、モータ２２１が作動し、貯留槽２１０の内部の汚物や洗浄水や汚水が第２の配管１６３を通して排出される。汚物や洗浄水や汚水が貯留槽２１０から排出された状態の移動式水洗便器１００ａは、汚物や洗浄水や汚水が貯留槽２１０の内部に貯留された状態の移動式水洗便器１００ａよりも軽い。これにより、移動状態において、移動式水洗便器１００を移動させやすくすることができる。一方で、汚物や洗浄水や汚水が貯留槽２１０の内部に貯留された状態の移動式水洗便器１００ａは、汚物や洗浄水や汚水が貯留槽２１０から排出された状態の移動式水洗便器１００ａよりも重い。これにより、設置状態おいて、移動式水洗便器１００ａを安定させることができる。
【００６３】
このように、本実施形態にかかる移動式水洗便器１００ａでは、貯留槽２１０は、溜水手段として機能する。これによれば、貯留槽２１０は、第１のタンク１４０とは異なる溜水手段である。言い換えれば、第１のタンク１４０は、貯留槽２１０とは異なる溜水手段である。そのため、水が溜まる重い部分を分散させることができ、設置状態における移動式水洗便器１００ａをより安定させることができる。
【００６４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、移動式水洗便器１００、１００ａおよび圧送装置２００などが備える各要素の形状、寸法、材質、配置などや第１のタンク１４０および圧送装置２００の設置形態などは、例示したものに限定されるわけではなく適宜変更することができる。  
また、前述の実施の形態に関して、移動式水洗便器１００、１００ａのボウル面１１１に水を供給する手段として電磁弁１５２（給水手段）を例に挙げて説明したが、ボウル面１１１を洗浄する水を溜めておく専用のタンクを別途設けることもできる。
また、前述した各実施の形態が備える各要素は、技術的に可能な限りにおいて組み合わせることができ、これらを組み合わせたものも本発明の特徴を含む限り本発明の範囲に包含される。
【符号の説明】
【００６５】
１００、１００ａ 移動式水洗便器、  １１０ 便器本体、  １１１ ボウル面、  １１５ 支持体、  １１７ 脚部、  １１８ 第１の車輪、  １１９ 第２の車輪、  １２０ カバー体、  １２１ 第１のカバー、  １２３ 第２のカバー、  １２５ 第３のカバー、  １３１ 肘掛け、  １４０ 第１のタンク、  １４１ 水、  １４３ ポンプ、  １５１ 給水源、  １５２ 電磁弁、  １５３ 三方弁、  １５４ 第２のタンク、  １５５ 第１の逆止弁、  １５６ 第２の逆止弁、  １５７ 制御部、  １６１ 第１の配管、  １６３ 第２の配管、  １６５ 第３の配管、  １７０ スイッチ、  １７１ 移動スイッチ、  １７３ 移動完了スイッチ、  ２００ 圧送装置、  ２０１ ケーシング、  ２１０ 貯留槽、  ２１１ 孔、  ２２１ モータ、  ２２３ 軸、  ２３０ 攪拌部、  ２３１ パルセータ、  ２３３ ベース板、  ２４０ 圧送部、  ２４１ インペラ、  ２５１ 圧送路、  ３０１ 床面
【図１】
2016204973.tif 000003
【図２】
2016204973.tif 000004
【図３】
2016204973.tif 000005
【図４】
2016204973.tif 000006
【図５】
2016204973.tif 000007
【図６】
2016204973.tif 000008